(57)【特許請求の範囲】
【請求項１】
コンテンツを再生する複数のコンテンツ再生装置が接続可能であり、前記複数のコンテンツ再生装置からコンテンツを受信するコンテンツ受信装置であって、
いずれかの前記コンテンツ再生装置からのコンテンツをメインルームに配置された機器に出力するメインルーム出力手段と、
いずれかの前記コンテンツ再生装置からのコンテンツをサブルームに配置された機器に出力するサブルーム出力手段と、
前記メインルーム出力手段がメインルームに配置された機器に出力するコンテンツを再生するコンテンツ再生装置を選択するメインルーム選択手段と、
前記サブルーム出力手段がサブルームに配置された機器に出力するコンテンツを再生するコンテンツ再生装置を選択するサブルーム選択手段と、
前記メインルーム選択手段によって選択可能な各コンテンツ再生装置に対してレジューム情報を記憶するためのメインルームレジューム記憶部と、
前記サブルーム選択手段によって選択可能な各コンテンツ再生装置に対してレジューム情報を記憶するためのサブルームレジューム記憶部と、
前記メインルーム選択手段がコンテンツ再生装置を変更する際に、変更前のコンテンツ再生装置が変更後にその再生を継続しても変更前のコンテンツ再生装置からレジューム情報を取得し、前記メインルームレジューム記憶部に変更前のコンテンツ再生装置に対応付けて前記レジューム情報を登録し、前記サブルーム選択手段がコンテンツ再生装置を変更する際に、変更前のコンテンツ再生装置が変更後にその再生を継続しても変更前のコンテンツ再生装置からレジューム情報を取得し、前記サブルームレジューム記憶部に変更前のコンテンツ再生装置に対応付けて前記レジューム情報を登録するレジューム登録手段と、
前記メインルーム選択手段がコンテンツ再生装置を変更する際に、前記メインルームレジューム記憶部から変更後のコンテンツ再生装置に対応付けて記憶されているレジューム情報を読み出して、変更後のコンテンツ再生装置に送信し、前記サブルーム選択手段がコンテンツ再生装置を変更する際に、前記サブルームレジューム記憶部から変更後のコンテンツ再生装置に対応付けて記憶されているレジューム情報を読み出して、変更後のコンテンツ再生装置に送信する再生制御手段とを備える、コンテンツ受信装置。
【請求項２】
前記再生制御手段が、
前記メインルーム選択手段がコンテンツ再生装置を変更する際に、変更後のコンテンツ再生装置が現在前記サブルーム選択手段が選択しているコンテンツ再生装置と同じであるか否かに関わらず、前記メインルームレジューム記憶部から変更後のコンテンツ再生装置に対応付けて記憶されているレジューム情報を読み出して、変更後のコンテンツ再生装置に送信し、
前記サブルーム選択手段がコンテンツ再生装置を変更する際に、変更後のコンテンツ再生装置が現在前記メインルーム選択手段が選択しているコンテンツ再生装置と異なる場合には、前記サブルームレジューム記憶部から変更後のコンテンツ再生装置に対応付けて記憶されているレジューム情報を読み出して、変更後のコンテンツ再生装置に送信し、変更後のコンテンツ再生装置が現在前記メインルーム選択手段が選択しているコンテンツ再生装置と同じである場合には、変更後のコンテンツ再生装置に前記レジューム情報を送信しない、請求項１に記載のコンテンツ受信装置。
【請求項３】
前記再生制御手段が、
前記メインルーム選択手段がコンテンツ再生装置を変更する際に、ユーザ操作によってレジューム再生許可指示が入力されている場合、前記メインルームレジューム記憶部から変更後のコンテンツ再生装置に対応付けて記憶されているレジューム情報を読み出して、変更後のコンテンツ再生装置に送信し、ユーザ操作によってレジューム再生不可指示が入力されている場合、前記レジューム情報を変更後のコンテンツ再生装置に送信せず、
前記サブルーム選択手段がコンテンツ再生装置を変更する際に、ユーザ操作によってレジューム再生許可指示が入力されている場合、前記サブルームレジューム記憶部から変更後のコンテンツ再生装置に対応付けて記憶されているレジューム情報を読み出して、変更後のコンテンツ再生装置に送信し、ユーザ操作によってレジューム再生不可指示が入力されている場合、前記レジューム情報を変更後のコンテンツ再生装置に送信しない、請求項１に記載のコンテンツ受信装置。
【請求項４】
前記メインルーム選択手段がコンテンツ再生装置を変更する際に、変更前のコンテンツ再生装置が、現在前記サブルーム選択手段が選択するコンテンツ再生装置と異なる場合に、前記コンテンツ再生装置をスタンバイ状態に制御する電源オフコマンドを送信する電源オフコマンド送信手段をさらに備える、請求項１に記載のコンテンツ受信装置。
【請求項５】
前記コンテンツ受信装置がスタンバイ状態から電源オン状態に移行する際に、前記再生制御手段が、前記メインルームレジューム記憶部から前記メインルーム選択手段によって選択されているコンテンツ再生装置に対応付けて記憶されているレジューム情報を読み出して、前記コンテンツ再生装置に送信し、前記サブルームレジューム記憶部から前記サブルーム選択手段によって選択されているコンテンツ再生装置に対応付けて記憶されているレジューム情報を読み出して、前記コンテンツ再生装置に送信する、請求項１に記載のコンテンツ受信装置。
【請求項６】
請求項１〜５のいずれかに記載のコンテンツ受信装置に接続可能な前記コンテンツ再生装置であって、
前記レジューム登録手段からの要求に応答して、レジューム情報を前記レジューム登録手段に送信するレジューム送信手段と、
前記再生制御手段から前記レジューム情報を受信した際に、前記レジューム情報に基づいてコンテンツを再生する再生手段とを有する、コンテンツ再生装置。
【発明の詳細な説明】
【技術分野】
【０００１】
本発明は、コンテンツ再生装置とコンテンツ受信装置とを備えるコンテンツ再生システムに関する。
【背景技術】
【０００２】
ＡＶアンプには、複数のコンテンツ再生装置（例えば、ＤＶＤプレーヤ、ＨＤＤレコーダ等）と、複数のディスプレイ装置と、複数のスピーカーとが接続可能である。例えば、図１０に示すように、メインルームＺＯＮＥ１には、ＡＶアンプ２０、ＤＶＤプレーヤ１０Ａ、ＨＤＤレコーダ１０Ｂ、ディスプレイ装置３０Ａ、スピーカー６０Ａ、リモコン受信器２４Ａが配置され、サブルームＺＯＮＥ２には、ディスプレイ装置３０Ｂ、スピーカー６０Ｂ、リモコン受信器２４Ｂが配置される。ＡＶアンプ２０には、メインルーム用およびサブルーム用のセレクタ（ＤＶＤセレクタ、ＨＤＤセレクタ）が設けられており、メインルーム用セレクタ、サブルーム用セレクタをそれぞれ選択することによって、メインルームＺＯＮＥ１およびサブルームＺＯＮＥ２に映像及び音声を再生するコンテンツ再生装置を選択することができる。例えば、メインルーム用セレクタはＤＶＤが選択され、サブルーム用セレクタはＨＤＤが選択されている場合、メインルームＺＯＮＥ１ではＤＶＤプレーヤ１０Ａの映像及び音声が再生され、サブルームＺＯＮＥ２ではＨＤＤレコーダ１０Ｂの映像及び音声が再生される。また、メインルーム用セレクタおよびサブルーム用セレクタは共にＨＤＤが選択されている場合、メインルームＺＯＮＥ１及びサブルームＺＯＮＥ２では共にＨＤＤレコーダ１０Ｂの映像及び音声が再生される。
【０００３】
ここで、ＤＶＤプレーヤ１０Ａ及びＨＤＤレコーダ１０Ｂにはレジューム機能が設けられており、（あるコンテンツの）ある再生位置（再生時間）で再生を停止した場合には、その再生位置をレジューム情報としてメモリに記憶しておき、次回再生指示が入力されたときに、記憶されているレジューム情報で特定される再生位置から再生を開始することができる。しかし、上記のように、メインルームＺＯＮＥ１及びサブルームＺＯＮＥ２で同じコンテンツ再生装置の映像データ及び音声データを再生できる場合、以下のような問題が生じる。すなわち、メインルームＺＯＮＥ１のユーザ操作によってＤＶＤプレーヤ１０Ａが例えば１０：００の再生位置で再生停止した場合に、ＤＶＤプレーヤ１０Ａは再生位置１０：００をレジューム情報としてメモリに記憶する。次に、サブルームＺＯＮＥ２のユーザ操作によってＤＶＤプレーヤ１０Ａが再生されると、ＤＶＤプレーヤ１０Ａはメモリ内のレジューム情報である再生位置１０：００を消去する。そして、例えば２０：００の再生位置で再生停止した場合に、ＤＶＤプレーヤ１０Ａは、再生位置２０：００をレジューム情報として新たにメモリに記憶する。次に、メインルームＺＯＮＥ１のユーザ操作によって再度ＤＶＤプレーヤ１０Ａが再生されると、ユーザは１０：００から再生開始すると理解しているにも関わらず、レジューム情報として再生位置２０：００が記憶されているので、２０：００から再生開始されてしまい、ユーザに違和感を与えてしまう。
【０００４】
また、メインルームＺＯＮＥ１でＤＶＤセレクタが選択され、ＤＶＤプレーヤ１０Ａが再生している際に、メインルームＺＯＮＥ１のセレクタがＨＤＤセレクタに変更されたとき、ＤＶＤプレーヤ１０Ａは再生を継続する。従って、メインルームＺＯＮＥ１のセレクタを再度ＤＶＤセレクタに変更した際にはＨＤＤセレクタに変更する前に再生していた位置からＤＶＤプレーヤ１０Ａに再生を再開させることができない。メインルームＺＯＮＥ１のセレクタがＨＤＤセレクタに変更される際に、ユーザ操作によってＤＶＤプレーヤ１０Ａの再生を停止または一次停止すればよいが、サブルームＺＯＮＥ２のユーザ操作によってＤＶＤプレーヤ１０Ａが再生開始されてしまうと、やはり、メインルームＺＯＮＥ１のセレクタを再度ＤＶＤセレクタに変更した際にはＨＤＤセレクタに変更する前に再生していた位置からＤＶＤプレーヤ１０Ａに再生を再開させることができない。
【０００５】
また、メインルームＺＯＮＥ１でＤＶＤセレクタが選択され、ＤＶＤプレーヤ１０Ａが再生している際に、ＡＶアンプ２０が電源オン状態からスタンバイ状態にされたとき、ＤＶＤプレーヤ１０Ａは再生を継続する。従って、ＡＶアンプ２０を再度スタンバイ状態から電源オン状態にした際には、ＤＶＤプレーヤ１０Ａにスタンバイ状態にする前に再生していた位置から再生を再開させることができない。ＡＶアンプ２０が電源オン状態からスタンバイ状態にされたとき、ユーザ操作によってＤＶＤプレーヤ１０Ａの再生を停止または一次停止すればよいが、サブルームＺＯＮＥ２のユーザ操作によってＤＶＤプレーヤ１０Ａが再生開始されてしまうと、やはり、ＡＶアンプ２０を再度スタンバイ状態から電源オン状態にした際には、ＤＶＤプレーヤ１０Ａにスタンバイ状態にする前に再生していた位置から再生を再開させることができない。
【０００６】
【特許文献１】特開２００７−２２０２１２号公報
【特許文献２】特開２００６−４４８９号公報
【発明の開示】
【発明が解決しようとする課題】
【０００７】
本発明は上記従来の課題を解決するためになされたものであり、その目的は、メインルームおよびサブルームから同一のコンテンツ再生装置のコンテンツを再生できる場合でも、適切なレジューム情報に基づいてコンテンツ再生装置を再生制御することができるコンテンツ再生システムを提供することである。
【課題を解決するための手段】
【０００８】
本発明の好ましい実施形態によるコンテンツ受信装置は、コンテンツを再生する複数のコンテンツ再生装置が接続可能であり、前記複数のコンテンツ再生装置からコンテンツを受信するコンテンツ受信装置であって、いずれかの前記コンテンツ再生装置からのコンテンツをメインルームに配置された機器に出力するメインルーム出力手段と、いずれかの前記コンテンツ再生装置からのコンテンツをサブルームに配置された機器に出力するサブルーム出力手段と、前記メインルーム出力手段がメインルームに配置された機器に出力するコンテンツを再生するコンテンツ再生装置を選択するメインルーム選択手段と、前記サブルーム出力手段がサブルームに配置された機器に出力するコンテンツを再生するコンテンツ再生装置を選択するサブルーム選択手段と、前記メインルーム選択手段によって選択可能な各コンテンツ再生装置に対してレジューム情報を記憶するためのメインルームレジューム記憶部と、前記サブルーム選択手段によって選択可能な各コンテンツ再生装置に対してレジューム情報を記憶するためのサブルームレジューム記憶部と、前記メインルーム選択手段がコンテンツ再生装置を変更する際に、変更前のコンテンツ再生装置からレジューム情報を取得し、前記メインルームレジューム記憶部に変更前のコンテンツ再生装置に対応付けて前記レジューム情報を登録し、前記サブルーム選択手段がコンテンツ再生装置を変更する際に、変更前のコンテンツ再生装置からレジューム情報を取得し、前記サブルームレジューム記憶部に変更前のコンテンツ再生装置に対応付けて前記レジューム情報を登録するレジューム登録手段と、前記メインルーム選択手段がコンテンツ再生装置を変更する際に、前記メインルームレジューム記憶部から変更後のコンテンツ再生装置に対応付けて記憶されているレジューム情報を読み出して、変更後のコンテンツ再生装置に送信し、前記サブルーム選択手段がコンテンツ再生装置を変更する際に、前記サブルームレジューム記憶部から変更後のコンテンツ再生装置に対応付けて記憶されているレジューム情報を読み出して、変更後のコンテンツ再生装置に送信する再生制御手段とを備える。
【０００９】
従って、メインルーム選択手段及びサブルーム選択手段それぞれが選択可能なコンテンツ再生装置毎に、レジューム情報を管理しているので、メインルーム（またはサブルーム）選択手段の各コンテンツ再生装置に対して記憶したレジューム情報がサブルーム（またはメインルーム）からの同一コンテンツ再生装置のユーザ操作によって消去または変更されることを防止できる。また、メインルーム選択手段（またはサブルーム選択手段）がコンテンツ再生装置を変更する際に、前回メインルーム選択手段（またはサブルーム選択手段）が同一コンテンツ再生装置を選択していたときのレジューム情報に基づく再生位置から、コンテンツ再生装置にコンテンツ再生を再開させることができる。このように、メインルームおよびサブルームから同一のコンテンツ再生装置のコンテンツを再生できる場合でも、適切なレジューム情報に基づいてコンテンツ再生装置を再生制御することができる。
【００１０】
好ましい実施形態においては、前記再生制御手段が、前記メインルーム選択手段がコンテンツ再生装置を変更する際に、変更後のコンテンツ再生装置が現在前記サブルーム選択手段が選択しているコンテンツ再生装置と同じであるか否かに関わらず、前記メインルームレジューム記憶部から変更後のコンテンツ再生装置に対応付けて記憶されているレジューム情報を読み出して、変更後のコンテンツ再生装置に送信し、前記サブルーム選択手段がコンテンツ再生装置を変更する際に、変更後のコンテンツ再生装置が現在前記メインルーム選択手段が選択しているコンテンツ再生装置と異なる場合には、前記サブルームレジューム記憶部から変更後のコンテンツ再生装置に対応付けて記憶されているレジューム情報を読み出して、変更後のコンテンツ再生装置に送信し、変更後のコンテンツ再生装置が現在前記メインルーム選択手段が選択しているコンテンツ再生装置と同じである場合には、変更後のコンテンツ再生装置に前記レジューム情報を送信しない。
【００１１】
この場合、同一のコンテンツ再生装置からメインルーム及びサブルームに同時にコンテンツを出力する場合には、メインルームに対するレジューム情報に基づく再生位置を優先し、後からサブルーム選択手段が当該コンテンツ再生装置を選択しても、サブルーム選択手段に対応付けて記憶されているレジューム情報に基づいて再生位置を変更することがない。従って、メインルームのユーザがコンテンツを視聴している際に、サブルームのユーザ操作によってメインルームのユーザが視聴しているコンテンツの再生位置が変更されて、メインルームのユーザに不快感を与えることを防止できる。
【００１２】
好ましい実施形態においては、前記再生制御手段が、前記メインルーム選択手段がコンテンツ再生装置を変更する際に、ユーザ操作によってレジューム再生許可指示が入力されている場合、前記メインルームレジューム記憶部から変更後のコンテンツ再生装置に対応付けて記憶されているレジューム情報を読み出して、変更後のコンテンツ再生装置に送信し、ユーザ操作によってレジューム再生不可指示が入力されている場合、前記レジューム情報を変更後のコンテンツ再生装置に送信せず、前記サブルーム選択手段がコンテンツ再生装置を変更する際に、ユーザ操作によってレジューム再生許可指示が入力されている場合、前記サブルームレジューム記憶部から変更後のコンテンツ再生装置に対応付けて記憶されているレジューム情報を読み出して、変更後のコンテンツ再生装置に送信し、ユーザ操作によってレジューム再生不可指示が入力されている場合、前記レジューム情報を変更後のコンテンツ再生装置に送信しない。
【００１３】
この場合、メインルーム（またはサブルーム）選択手段が選択するコンテンツ再生装置のレジューム情報に基づく再生位置から再生させることをユーザが希望する場合のみに、レジューム情報に基づいて再生開始させることができる。
【００１４】
好ましい実施形態においては、前記メインルーム選択手段がコンテンツ再生装置を変更する際に、変更前のコンテンツ再生装置が、現在前記サブルーム選択手段が選択するコンテンツ再生装置と異なる場合に、前記コンテンツ再生装置をスタンバイ状態に制御する電源オフコマンドを送信する電源オフコマンド送信手段をさらに備える。
【００１５】
この場合、メインルーム選択手段およびサブルーム選択手段のいずれも選択していないコンテンツ再生装置を自動的にスタンバイ状態にすることができるので、操作性が向上し、省電力化を図れる。
【００１６】
好ましい実施形態においては、前記コンテンツ受信装置がスタンバイ状態から電源オン状態に移行する際に、前記再生制御手段が、前記メインルームレジューム記憶部から前記メインルーム選択手段によって選択されているコンテンツ再生装置に対応付けて記憶されているレジューム情報を読み出して、前記コンテンツ再生装置に送信し、前記サブルームレジューム記憶部から前記サブルーム選択手段によって選択されているコンテンツ再生装置に対応付けて記憶されているレジューム情報を読み出して、前記コンテンツ再生装置に送信する。
【００１７】
この場合、コンテンツ受信装置を電源オン状態にすると、メインルーム（およびサブルーム）選択手段が選択しているコンテンツ再生装置を、記憶されているレジューム情報に基づいた再生位置から再生させることができる。
【発明の効果】
【００２０】
メインルームおよびサブルームから同一のコンテンツ再生装置のコンテンツを再生できる場合でも、適切なレジューム情報に基づいてコンテンツ再生装置を再生制御することができる。
【発明を実施するための最良の形態】
【００２１】
以下、本発明の好ましい実施形態によるコンテンツ再生装置（例えば、ＤＶＤプレーヤ、ＨＤＤレコーダ等）、コンテンツ受信装置（例えば、ＡＶアンプ）を備えるコンテンツ再生システムついて、図面を参照して具体的に説明するが、本発明はこれらの実施形態には限定されない。
【００２２】
図１は、本実施形態のコンテンツ再生システムを示すブロック図である。メインルームＺＯＮＥ１には、ＡＶアンプ２０と、ＡＶアンプ２０に接続されたＤＶＤプレーヤ１０Ａと、ＨＤＤレコーダ１０Ｂと、ディスプレイ装置３０Ａと、スピーカー６０Ａと、リモコン受信器２４Ａとが配置され、サブルームＺＯＮＥ２には、ＡＶアンプ２０に接続されたディスプレイ装置３０Ｂと、スピーカー６０Ｂと、リモコン受信器２４Ｂとが配置されている。ＡＶアンプ２０と、ＤＶＤプレーヤ１０Ａ、ＨＤＤレコーダ１０Ｂ及びディスプレイ装置３０Ａ，３０Ｂとは、例えばＨＤＭＩ規格に準拠し、ＨＤＭＩケーブルを介して相互に接続されている。本実施形態において、コンテンツとは、映像（画像）データおよび／または音声データの総称である。
【００２３】
［ＤＶＤプレーヤ１０Ａの構成］
ＤＶＤプレーヤ１０Ａは、再生部１１と、ＨＤＭＩ送信部１３と、システム制御部１４と、操作表示部１５と、メモリ１６と、コネクタ部１７とを有している。
【００２４】
再生部１１は、ＤＶＤディスク（以下、単にディスクという。）に記録されている映像データ及び音声データをディスクから読み出して、ＨＤＭＩ送信部１３に供給する。再生部１１は、図示しない光ピックアップ、サーボ回路、ＭＰＥＧデコーダ、音声デコーダ等を含む。
【００２５】
ＨＤＭＩ送信部１３は再生部１１から供給された映像データおよび音声データを、システム制御部１４からのコマンドにより、ＨＤＭＩ規格のデータ（以下、ＨＤＭＩデータ）に変換する。ＨＤＭＩ送信部１３は、ＨＤＭＩデータをコネクタ部１７を介してＡＶアンプ２０に送信する。ＨＤＭＩ送信部１３は、ＨＤＭＩデータを送受信するＴＭＤＳラインおよび接続の有無を判断するためのホットプラグを介して、ＡＶアンプ２０のＨＤＭＩ受信部２１に接続される。
【００２６】
システム制御部１４は、内蔵又は接続されたメモリに格納されているＤＶＤプレーヤの動作プログラムに基づいて、再生部１１、ＨＤＭＩ送信部１３、操作表示部１５、メモリ１６等を制御するものであり、例えば、マイクロコンピュータやＣＰＵ等である。システム制御部１４は、操作表示部１５からの操作入力または各部からの制御信号およびデータに基づいて各種処理を実行する。
【００２７】
システム制御部１４は、ＣＥＣラインを介してＡＶアンプ２０のシステム制御部２３に接続され、システム制御部２３とコマンドおよび／またはデータを送受信する。システム制御部１４は、システム２３からセレクタ解除通知又はスタンバイ通知を受信したとき、再生部１１から現在再生している再生位置の情報を取得して、再生位置（または再生時間）をレジューム情報としてＡＶアンプ２０のシステム制御部２３に送信する。また、システム制御部１４は、ＡＶアンプ２０のシステム制御部２３からレジューム情報を受信したとき、レジューム情報で特定される再生位置からコンテンツを再生するように再生部１１を制御する。なお、ＤＶＤプレーヤがＤＶＤチェンジャである場合には、レジューム情報にはディスクを特定するためのディスク情報が含まれているとよい。
【００２８】
［ＨＤＤレコーダ１０Ｂの構成］
ＨＤＤレコーダ１０Ｂの構成は、上記のＤＶＤプレーヤ１０Ａの構成と類似するので異なる点のみを記載する。ＨＤＤレコーダ１０Ｂは、コンテンツ記憶部であるＨＤＤ（ハードディスクドライブ）１２をさらに備えている。ＨＤＤ１２には複数のコンテンツ（映像ファイルまたは音楽ファイル）が記録されている。ＨＤＤレコーダ１０Ｂのレジューム情報は、複数のコンテンツの中から１つのコンテンツを特定するためのコンテンツ特定情報と、そのコンテンツの再生位置（再生時間やアドレス等）とを含む。コンテンツ特定情報は、コンテンツに対して一意に付与されるコンテンツＩＤでもよく、複数のメタデータ（例えばアーティスト名と曲名と）の組合せであってもよい。
【００２９】
［ＡＶアンプの構成］
ＡＶアンプ２０は、ＨＤＭＩ受信部２１と、ＨＤＭＩ送信部２２と、システム制御部２３と、リモコン受信器２４Ａ，２４Ｂと、操作表示部２５と、音声処理部２６と、コネクタ部２７ａ，２７ｂと、メモリ（ＲＯＭ，ＲＡＭ等）２８とを有している。
【００３０】
ＨＤＭＩ受信部２１は、ＤＶＤプレーヤ１０ＡおよびＨＤＤレコーダ１０Ｂから送信されたＨＤＭＩデータを受信して、受信したＨＤＭＩデータから元の映像データ（ＨＤＭＩ変換前の映像データ）を生成して、ＨＤＭＩ送信部２２に供給する。また、ＨＤＭＩ受信部２１は、受信したＨＤＭＩデータから元の音声データを生成して、音声処理部２６に供給する。
【００３１】
また、ＨＤＭＩ受信部２１は、セレクタ回路としての機能を有している。本例では、セレクタは、メインルームＺＯＮＥ１、サブルームＺＯＮＥ２毎に、ＤＶＤセレクタとＨＤＤセレクタとを有する。ＤＶＤセレクタにはＤＶＤプレーヤ１０Ａが接続されるコネクタ２７ａが割り当てられており、ＤＶＤセレクタが選択されると、ＤＶＤプレーヤ１０ＡからのＨＤＭＩデータに含まれるコンテンツがＨＤＭＩ受信部２１で処理される。同様に、ＨＤＤセレクタにはＨＤＤレコーダ１０Ｂが接続されるコネクタ２７ｂが割り当てられており、ＨＤＤセレクタが選択されると、ＨＤＤレコーダ１０ＢからのＨＤＭＩデータに含まれるコンテンツがＨＤＭＩ受信部２１で処理される。現在選択されているセレクタは、図２に示すようにセレクタテーブルとしてメモリ２８に記憶されている。
【００３２】
例えば、図２（ａ）に示すように、メインルーム用セレクタはＤＶＤが選択され、サブルーム用セレクタはＨＤＤが選択されている場合、ＨＤＭＩ受信部２１は、メインルームＺＯＮＥ１に対してはＤＶＤプレーヤ１０Ａからの映像データ及び音声データを受信し、メインルームＺＯＮＥ１に配置されたディスプレイ装置３０Ａ及びスピーカー６０Ａに出力するように動作し、サブルームＺＯＮＥ２に対してはＨＤＤレコーダ１０Ｂからの映像データ及び音声データを受信し、サブルームＺＯＮＥ２に配置されたディスプレイ装置３０Ｂ及びスピーカー６０Ｂに出力するように動作する。また、図２（ｂ）に示すように、メインルーム用セレクタおよびサブルーム用セレクタは共にＨＤＤが選択されている場合、メインルームＺＯＮＥ１及びサブルームＺＯＮＥ２に対して共にＨＤＤレコーダ１０Ｂからの映像データ及び音声データを受信し、各ルームに配置されたディスプレイ装置３０Ａ，３０Ｂ、スピーカー６０Ａ，６０Ｂに出力するように動作する（但し、この場合、図１のハードウェア構成においては、メインルームＺＯＮＥ１とサブルームＺＯＮＥ２とで再生されるコンテンツの再生位置を異ならせることができない）。
【００３３】
図１に戻り、音声処理部２６は、ＨＤＭＩ受信部２１から供給された音声データをデコードし、遅延処理、イコライザ処理、Ｄ／Ａ変換処理、音量調整処理、増幅処理等の各処理を実行し、外部に接続されたスピーカー６０Ａ，または、６０Ｂに音声信号を供給する。音声信号をメインルームＺＯＮＥ１に配置されたスピーカー６０Ａに出力するか、サブルームＺＯＮＥ２に配置されたスピーカー６０Ｂに出力するか、又は、両方のスピーカー６０Ａ，６０Ｂに出力するかは図２のセレクタテーブルを参照して特定される。
【００３４】
ＨＤＭＩ送信部２２は、ＨＤＭＩ受信部２１から供給された映像データを、ＨＤＭＩデータに変換する。ＨＤＭＩ送信部２２は、変換したＨＤＭＩデータをディスプレイ装置３０Ａ，３０Ｂに送信し、ディスプレイ装置３０Ａ，３０Ｂに映像を表示させる。映像データを含むＨＤＭＩデータをメインルームＺＯＮＥ１に配置されたディスプレイ装置３０Ａに出力するか、サブルームＺＯＮＥ２に配置されたディスプレイ装置３０Ｂに出力するか、又は、両方のディスプレイ装置３０Ａ，３０Ｂに出力するかは図２のセレクタテーブルを参照して特定される。
【００３５】
リモコン受信器２４Ａは、メインルームＺＯＮＥ１のユーザ操作によってリモコン信号を受信し、システム制御部２３にリモコン信号を供給する。リモコン受信器２４Ｂは、サブルームＺＯＮＥ２のユーザ操作によってリモコン信号を受信し、システム制御部２３にリモコン信号を供給する。これらのリモコン信号は、例えば、各ルーム用のセレクタを変更する指示、再生開始する指示、ＡＶアンプ２０をスタンバイ状態にする指示、ＡＶアンプ２０を電源オン状態にする指示等である。操作表示部２５は、メインルームＺＯＮＥ１のユーザ操作によって操作信号が入力され、システム制御部２３に操作信号を供給するものであり、ＡＶアンプ２０のフロントパネルに設けられた操作スイッチである。この操作信号は、同様に、各ルーム用のセレクタを変更する指示、再生開始する指示、ＡＶアンプ２０をスタンバイ状態にする指示、ＡＶアンプ２０を電源オン状態にする指示等である。
【００３６】
システム制御部２３は、内蔵又は接続されたメモリに記憶されているＡＶアンプの動作プログラムに基づいて、ＨＤＭＩ受信部２１、ＨＤＭＩ送信部２２、操作表示部２５、音声処理部２６、メモリ２８等を制御するものであり、例えば、マイクロコンピュータやＣＰＵ等である。システム制御部２３は、操作表示部２５、リモコン受信器２４Ａ，２４Ｂからの操作入力または各部からの制御信号およびデータに基づいて各種処理を実行する。システム制御部２３は、ＣＥＣラインを介してＤＶＤプレーヤ１０のシステム制御部１４に接続され、システム制御部１４とコマンドおよびデータを送受信する。
【００３７】
システム制御部２３は、メインルームＺＯＮＥ１またはサブルームＺＯＮＥ２のセレクタを変更する指示が入力された場合、現在選択されているセレクタ（変更前のセレクタ）に対応するコンテンツ再生装置からレジューム情報を要求して取得する。取得したレジューム情報は、メモリ２８に保存される図３に示すレジューム情報テーブルに記憶される。
【００３８】
レジューム情報テーブルは、各ルームの各セレクタに対してレジューム情報を記憶できるようになっている。図３に示すように、メインルームＺＯＮＥ１のＤＶＤセレクタにはＤＶＤプレーヤ１０Ａのレジューム情報ＲＥＤＶＤ１が、メインルームＺＯＮＥ１のＨＤＤセレクタにはＨＤＤレコーダ１０Ｂのレジューム情報ＲＥＨＤＤ１が、サブルームＺＯＮＥ２のＤＶＤセレクタにはＤＶＤプレーヤ１０Ａのレジューム情報ＲＥＤＶＤ２が、サブルームＺＯＮＥ２のＨＤＤセレクタにはＨＤＤレコーダ１０Ｂのレジューム情報ＲＥＨＤＤ２が、それぞれ記憶される。
【００３９】
すなわち、メインルームＺＯＮＥ１のセレクタを（ＤＶＤセレクタから）ＨＤＤセレクタに変更する指示が入力されると、システム制御部２３はＤＶＤプレーヤ１０Ａのレジューム情報を取得して図３のメインルームＺＯＮＥ１のＤＶＤセレクタのフィールドに登録する。サブルームＺＯＮＥ２のセレクタを（ＨＤＤセレクタから）ＤＶＤセレクタに変更する指示が入力されると、システム制御部２３はＨＤＤレコーダ１０Ｂのレジューム情報を取得して図３のサブルームＺＯＮＥ２のＨＤＤセレクタのフィールドに登録する。
【００４０】
システム制御部２３は、メインルームＺＯＮＥ１またはサブルームＺＯＮＥ２のセレクタを変更する指示が入力された場合、図３のレジューム情報テーブルに、変更後のセレクタのレジューム情報が記憶されているかを確認し、記憶されている場合にはそのレジューム情報を読み出して、コンテンツ再生装置に送信する。例えば、メインルームＺＯＮＥ１についてセレクタを（ＤＶＤセレクタから）ＨＤＤセレクタに変更する指示が入力されると、システム制御部２３は、レジューム情報テーブルのメインルームＺＯＮＥ１のＨＤＤセレクタのフィールドにレジューム情報が記憶されていれば、そのレジューム情報をＨＤＤレコーダ１０Ｂに送信する。
【００４１】
また、サブルームＺＯＮＥ２についてセレクタを（ＨＤＤセレクタから）ＤＶＤセレクタに変更する指示が入力されると、システム制御部２３は、レジューム情報テーブルのサブルームＺＯＮＥ２のＤＶＤセレクタのフィールドにレジューム情報が記憶されていれば、そのレジューム情報をＤＶＤプレーヤ１０Ａに送信する。
【００４２】
このときに、メインルームＺＯＮＥ１でもＤＶＤプレーヤ１０Ａのコンテンツを再生しているとき、サブルームＺＯＮＥ２のＤＶＤセレクタのフィールドに記憶されているレジューム情報をＤＶＤプレーヤ１０Ａに送信すると、ＤＶＤプレーヤ１０Ａの再生位置が、送信されたサブルームＺＯＮＥ２用のレジューム情報で特定される再生位置に変更される。すると、メインルームＺＯＮＥ１でＤＶＤプレーヤ１０Ａのコンテンツを再生しているユーザに不快感を与える。そこで、一例として、メインルームＺＯＮＥ１の再生位置を優先し、後からサブルームＺＯＮＥ２のレジューム情報をＤＶＤプレーヤ１０Ａに送信する前に、メインルームＺＯＮＥ１のセレクタが同じセレクタ（ＤＶＤセレクタ）になっている場合には、サブルームＺＯＮＥ２のレジューム情報をＤＶＤプレーヤ１０Ａに送信しないようにすることで、この問題を解決できる。一方、後からメインルームＺＯＮＥ１のレジューム情報を送信する際には、サブルームＺＯＮＥ２のセレクタに関係なく、無条件で、ＤＶＤプレーヤ１０Ａに送信するとよい。
【００４３】
以下、本実施形態のコンテンツ再生システムの動作を説明する。
［メインルームＺＯＮＥ１のセレクタ変更処理］
図４はＡＶアンプ２０のシステム制御部２３の処理を示すフローチャート、図５はＤＶＤプレーヤ１０Ａ又はＨＤＤレコーダ１０Ｂのシステム制御部１４の処理を示すフローチャートである。本例では、メインルームＺＯＮＥ１のセレクタがＤＶＤセレクタからＨＤＤセレクタに変更される場合を例に説明する。
【００４４】
図４に示すように、システム制御部２３はメインルームＺＯＮＥ１のセレクタ変更指示がユーザ操作によって入力されたか否かを監視しており（Ｓ１）、ＤＶＤセレクタからＨＤＤセレクタに変更する指示が入力されると（Ｓ１でＹＥＳ）、システム制御部２３は、現在選択されているセレクタのコンテンツ再生装置（ＤＶＤプレーヤ１０Ａ）のシステム制御部１４にセレクタ解除通知をＣＥＣラインを介して送信する（Ｓ２）。図５に示すように、ＤＶＤプレーヤ１０Ａのシステム制御部１４は、セレクタ解除通知の受信を監視しており（Ｓ４１）、セレクタ解除通知を受信すると（Ｓ４１でＹＥＳ）、再生部１１における現在のコンテンツの再生位置をレジューム情報として、ＡＶアンプ２０のシステム制御部２３にＣＥＣラインを介して送信する（Ｓ４２）。なお、再生部１１が再生停止している場合でも、メモリに再生停止位置を記憶している場合にはその再生停止位置をレジューム情報として送信すればよい。図４に示すように、ＡＶアンプ２０のシステム制御部２３は、ＤＶＤプレーヤ１０Ａのシステム制御部１４からレジューム情報を受信すると、レジューム情報テーブルのメインルームＺＯＮＥ１のＤＶＤセレクタのフィールドに受信したレジューム情報を登録する（Ｓ３）。なお、既にレジューム情報が記憶されている場合は、記憶されているレジューム情報を消去して、今回取得したレジューム情報を登録する（上書きする）。
【００４５】
続いて、システム制御部２３は、現在選択されているセレクタ（ＤＶＤセレクタ）は、サブルームＺＯＮＥ２でも選択されているか否かを図２のセレクタテーブルを参照して判断する（Ｓ４）。すなわち、現在、メインルームＺＯＮＥ１とサブルームＺＯＮＥ２とで同じコンテンツ再生装置のコンテンツを再生しているか否かが判断される。サブルームＺＯＮＥ２のセレクタがメインルームＺＯＮＥ１と同じくＤＶＤセレクタである場合（Ｓ４でＹＥＳ）、Ｓ６に進む。一方、サブルームＺＯＮＥ２のセレクタがメインルームＺＯＮＥ１と異なりＨＤＤセレクタである場合（Ｓ４でＮＯ）、ＤＶＤプレーヤ１０ＡからのコンテンツはメインルームＺＯＮＥ１にもサブルームＺＯＮＥ２にも出力されないことになるので、システム制御部２３は、ＣＥＣラインを介してＤＶＤプレーヤ１０Ａのシステム制御部１４に電源オフコマンドを送信する（Ｓ５）。図５に示すように、ＤＶＤプレーヤ１０Ａのシステム制御部１４は、電源オフコマンドの受信を監視しており（Ｓ５０）、電源オフコマンドを受信すると（Ｓ５０でＹＥＳ）、スタンバイ状態であることをＡＶアンプ２０のシステム制御部２３に通知した後、電源オン状態からスタンバイ状態になる（Ｓ５１）。ＡＶアンプ２０のシステム制御部２３は、ＤＶＤプレーヤ１０Ａ、ＨＤＤレコード１０Ｂが電源オン状態であるか、スタンバイ状態であるかをメモリ上で管理している。
【００４６】
ここで、ＡＶアンプ２０およびコンテンツ再生装置１０は、装置全体に電源電圧を供給する主電源回路と、システム制御部及びその周辺回路のみに電源電圧を供給するスタンバイ電源回路とを備えており、電源オン状態においては主電源回路及びスタンバイ電源回路が共にオン状態にされ、スタンバイ状態においては主電源回路がオフ状態、スタンバイ電源回路がオン状態にされている。電源オン状態では、コンテンツの再生、コンテンツの送受信およびその他の処理を実行することができる。スタンバイ状態では、コンテンツの再生、コンテンツの送受信およびその他の処理を実行することはできないが、リモコン信号や電源オンコマンド等によって電源オン状態に移行することができる。
【００４７】
図４に示すように、ＡＶアンプ２０のシステム制御部２３は、メインルームＺＯＮＥ１のセレクタをＤＶＤセレクタからＨＤＤセレクタに変更する（Ｓ６）。すなわち、システム制御部２３は、メインルームＺＯＮＥ１に出力するコンテンツとしてＨＤＤレコーダ１０ＢからのＨＤＭＩデータを選択するようにＨＤＭＩ受信部２１を制御する。また、システム制御部２３は、図２のセレクタテーブルのメインルームＺＯＮＥ１のフィールドを、変更後のセレクタであるＨＤＤセレクタに書き換える。
【００４８】
続いて、システム制御部２３は、変更後のセレクタのコンテンツ再生装置（ＨＤＤレコーダ１０Ｂ）が電源オン状態であるか否かを判断する（Ｓ７）。ＨＤＤレコーダ１０Ｂが電源オン状態である場合には（Ｓ７でＹＥＳ）、Ｓ９に進む。一方、ＨＤＤレコーダ１０Ｂがスタンバイ状態である場合には（Ｓ７でＮＯ）、システム制御部２３は、ＣＥＣラインを介してＨＤＤレコーダ１０Ｂのシステム制御部１４ｂに電源オンコマンドを送信する（Ｓ８）。図５に示すように、ＨＤＤレコーダ１０Ｂのシステム制御部１４ｂは、電源オンコマンドを受信したか否かを監視しており（Ｓ４３）、電源オンコマンドを受信すると（Ｓ４３でＹＥＳ）、スタンバイ状態から電源オン状態に移行する（Ｓ４４）。
【００４９】
続いて、システム制御部２３は、変更後のセレクタのコンテンツ再生装置（ＨＤＤレコーダ１０Ｂ）について、ユーザ操作によって再生指示が入力されたか否かを監視しており（Ｓ９）、再生指示が入力された場合（Ｓ９でＹＥＳ）、システム制御部２３は、ＨＤＤレコーダ１０Ｂのシステム制御部１４ｂに再生コマンドを送信する（Ｓ１０）。さらに、システム制御部２３は、変更後のセレクタのコンテンツ再生装置（ＨＤＤレコーダ１０Ｂ）についてレジューム情報が記憶されているかを判断する（Ｓ１１）。つまり、システム制御部２３は、レジューム情報テーブルのメインルームＺＯＮＥ１のＨＤＤセレクタのフィールドにレジューム情報が記憶されているかを判断する。当該レジューム情報がレジューム情報テーブルに記憶されている場合（Ｓ１１でＹＥＳ）、システム制御部１４は、レジューム情報テーブルから当該レジューム情報を読み出して、ＣＥＣラインを介して、ＨＤＤレコーダ１０Ｂのシステム制御部１４ｂに送信する（Ｓ１２）。
【００５０】
図５に示すように、ＨＤＤレコーダ１０Ｂのシステム制御部１４ｂは、再生コマンドの受信を監視しており（Ｓ４５）、再生コマンドを受信すると（Ｓ４５でＹＥＳ）、レジューム情報をシステム制御部２３から受信したかを判断する（Ｓ４６）。レジューム情報を受信した場合（Ｓ４６でＹＥＳ）、システム制御部１４ｂはレジューム情報に含まれている再生位置からコンテンツを再生開始する。詳細には、例えばレジューム情報にはコンテンツを特定するコンテンツＩＤと再生開始位置（再生時間、再生開始アドレス）が含まれているので、再生部１１ｂは、コンテンツＩＤで特定されるコンテンツの再生開始位置で特定される位置から再生開始する。
【００５１】
［サブルームＺＯＮＥ２のセレクタ変更処理］
図６は、ＡＶアンプ２０のシステム制御部２３による、サブルームＺＯＮＥ２のセレクタ変更処理を示すフローチャートである。なお、サブルームＺＯＮＥ２のセレクタ変更処理は、図４で説明したメインルームＺＯＮＥ１のセレクタ変更処理と略同じであり、図４に記載の「メインルーム」と「サブルーム」という用語を入れ替えたものである。なお、サブルームＺＯＮＥ２のセレクタがＤＶＤセレクタからＨＤＤセレクタに変更され、Ｓ３１で、レジューム情報テーブルのサブルームＺＯＮＥ２のＨＤＤセレクタのフィールドにレジューム情報が記憶されていると判断されると（Ｓ３１でＹＥＳ）、システム制御部２３は、変更後のセレクタ（ＨＤＤセレクタ）は、現在のメインルームＺＯＮＥ１のセレクタと同じであるか否かを、セレクタテーブルを参照して判断する（Ｓ３２）。変更後のサブルームＺＯＮＥ２のセレクタ（ＨＤＤセレクタ）が現在のメインルームＺＯＮＥ１のセレクタと同じである場合（Ｓ３２でＹＥＳ）、システム制御部２３はＨＤＤレコーダ１０Ｂのシステム制御部１４ｂにレジューム情報を送信しない。図５に示すように、ＨＤＤレコーダ１０Ｂのシステム制御部１４ｂは、例えば所定時間以内にレジューム情報を受信しない場合（Ｓ４６でＮＯ）、現在コンテンツを再生中（つまり、メインルームＺＯＮＥ１に対してコンテンツを再生中）であるか否かを判断する（Ｓ４８）。再生中であれば（Ｓ４８でＹＥＳ）、そのままの再生位置で再生を継続するので、メインルームＺＯＮＥ１のユーザに不快感を与えることはない。再生中でなければ（Ｓ４８でＮＯ）、例えばユーザ操作によって新たに指定されたコンテンツの再生位置から再生開始する、又は、最初のコンテンツの最初の位置から再生を開始する（Ｓ４９）。最初のコンテンツとは、例えば、プレイリスト内の最初のコンテンツ、又は、記録されている全コンテンツのうち最初のコンテンツＩＤで特定されるコンテンツ等である。
【００５２】
以上のように、本実施形態によると、各ルームの各セレクタに対応付けてレジューム情報を記憶しているので、各ルーム毎にセレクタが変更されたときにレジューム情報で特定される再生位置からコンテンツを再生することができる。なお、Ｓ９の処理を省略して、自動的に再生コマンドを送信するようにしてもよい。
【００５３】
［別の実施形態１］
次に、本発明の別の好ましい実施形態を説明する。図７は本例におけるＡＶアンプ２０のメインルームＺＯＮＥ１のセレクタ変更処理を示すフローチャートであり、図４と同一処理には同一符号を付ける。図８は本例におけるＡＶアンプ２０のサブルームＺＯＮＥ２のセレクタ変更処理を示すフローチャートであり、図６と同一処理には同一符号を付ける。
【００５４】
本例では、図７に示すように、Ｓ１１でメインルームＺＯＮＥ１について、変更後のセレクタに対応するレジューム情報がレジューム情報テーブルに記憶されていると判断されると（Ｓ１１でＹＥＳ）、システム制御部２３は、メインルームＺＯＮＥ１についてユーザ操作によってレジューム再生許可指示が入力されているか否かを判断する（Ｓ１３）。例えば、メインルームＺＯＮＥ１に配置されたディスプレイ装置に３０Ａに「レジューム再生しますか」という質問を表示し、レジューム再生を許可するか否かをユーザ操作によって入力させてもよく、事前にユーザ操作によってレジューム再生の許可／不可がメニュー画面等から設定可能であってもよい。
【００５５】
レジューム再生許可指示が入力されている場合（Ｓ１３でＹＥＳ）、システム制御部２３は、変更後のセレクタに対応するレジューム情報を読み出して、変更後のセレクタのコンテンツ再生装置のシステム制御部に送信する（Ｓ１２）。一方、レジューム再生不可指示が入力されている場合（Ｓ１３でＮＯ）、システム制御部２３は、変更後のセレクタに対応するレジューム情報をコンテンツ再生装置に送信しない。
【００５６】
同様に、図８に示すように、Ｓ３１でサブルームＺＯＮＥ２について、変更後のセレクタに対応するレジューム情報がレジューム情報テーブルに記憶されていると判断されると（Ｓ３１でＹＥＳ）、システム制御部２３は、サブルームＺＯＮＥ２についてユーザ操作によってレジューム再生許可指示が入力されているか否かを判断する（Ｓ３４）。レジューム再生許可指示が入力されている場合（Ｓ３４でＹＥＳ）、システム制御部２３は、変更後のセレクタに対応するレジューム情報を読み出して、変更後のセレクタのコンテンツ再生装置のシステム制御部に送信する（Ｓ３３）。一方、レジューム再生不可指示が入力されている場合（Ｓ３４でＮＯ）、システム制御部２３は、変更後のセレクタに対応するレジューム情報をコンテンツ再生装置に送信しない。
【００５７】
［別の実施形態２］
次に、本発明のさらに別の好ましい実施形態を説明する。本例では、図７及び図８のようにＡＶアンプ２０側でユーザ操作によってレジューム再生許可指示／レジューム再生不可指示が入力されるのではなく、コンテンツ再生装置側でユーザ操作によってレジューム再生許可指示／レジューム再生不可指示が入力される。例えば、ＡＶアンプ２０のメインルームＺＯＮＥ１のセレクタ変更処理は図４と同じであり、ＡＶアンプ２０のサブルームＺＯＮＥ２のセレクタ変更処理は図８においてＳ３４が省略されたものとなる。すなわち、ＡＶアンプ２０はレジューム情報が記憶されている限り無条件でコンテンツ再生装置にレジューム情報を送信する。コンテンツ再生装置の処理は、図５においてＳ４６でＹＥＳと判断された後に、ユーザ操作によってレジューム再生許可指示が入力されているか否かを判断する。レジューム再生許可指示が入力されている場合、Ｓ４７に進み、レジューム情報に基づいて再生するが、レジューム再生不可指示が入力されている場合、Ｓ４８に進み、レジューム情報に基づいて再生しない。
【００５８】
［別の実施形態３］
次に、本発明のさらに別の好ましい実施形態を説明する。図９は、ＡＶアンプ２０がスタンバイ状態から電源オン状態に移行する際のレジューム再生処理を示すフローチャートである。
【００５９】
システム制御部２３は、主電源回路をオフ状態に制御して、ＡＶアンプ２０を電源オン状態からスタンバイ状態に移行させる際に（Ｓ６１でＹＥＳ）、現在、メインルームＺＯＮＥ１のセレクタに選択されているコンテンツ再生装置、及び、サブルームＺＯＮＥ２のセレクタに選択されているコンテンツ再生装置に、ＡＶアンプ２０がスタンバイ状態に移行することを示すスタンバイ通知を送信する（Ｓ６２）。例えば、メインルームＺＯＮＥ１のセレクタがＤＶＤセレクタであれば、システム制御部２３はＤＶＤプレーヤ１０Ａのシステム制御部１４にスタンバイ通知を送信する。サブルームＺＯＮＥ２のセレクタがＨＤＤセレクタであれば、システム制御部２３はＨＤＤレコーダ１０Ｂのシステム制御部１４ｂにスタンバイ通知を送信する。図５において、Ｓ４１を「スタンバイ通知受信」に読み替えて、スタンバイ通知を受信したコンテンツ再生装置のシステム制御部１４は、スタンバイ通知に応答して現在の再生位置をレジューム情報としてＡＶアンプ２０のシステム制御部２３に送信する（Ｓ４２）。システム制御部２３は、レジューム情報を受信すると、メインルームＺＯＮＥ１、サブルームＺＯＮＥ２の現在の各セレクタに対応付けてレジューム情報をレジューム情報テーブルに登録する（Ｓ６３）。つまり、レジューム情報テーブルにおいて、メインルームＺＯＮＥ１のＤＶＤセレクタ１０ＡのフィールドにＤＶＤプレーヤ１０Ａのレジューム情報を登録し、サブルームＺＯＮＥ２のＨＤＤセレクタ１０ＢのフィールドにＨＤＤレコーダ１０Ｂのレジューム情報を登録する。その後、システム制御部２３は、電源オン状態からスタンバイ状態に移行させる。
【００６０】
一方、システム制御部２３は、主電源回路をオン状態に制御して、ＡＶアンプ２０を電源オン状態に移行するとき（Ｓ６４でＹＥＳ）、メインルームＺＯＮＥ１の選択されているセレクタに対応付けて、レジューム情報がレジューム情報テーブルに記憶されているか否かを判断する（Ｓ６５）。例えば、メインルームＺＯＮＥ１のセレクタがＤＶＤセレクタであれば、メインルームＺＯＮＥ１のＤＶＤセクタのレジューム情報が記憶されているかを判断する。レジューム情報が記憶されている場合（Ｓ６５でＹＥＳ）、システム制御部２３は、メインルームＺＯＮＥ１の選択されているセレクタのコンテンツ再生装置（ＤＶＤプレーヤ１０Ａ）に、レジューム情報テーブルからレジューム情報を読み出して送信する（Ｓ６６）。レジューム情報が記憶されていない場合（Ｓ６５でＮＯ）、メインルームＺＯＮＥ１の選択されているセレクタのコンテンツ再生装置にレジューム情報を送信せずにＳ６７に進む。
【００６１】
続いて、システム制御部２３はサブルームＺＯＮＥ２設定がオン状態になっているか否かを判断する（Ｓ６７）。サブルームＺＯＮＥ２設定とは、ＡＶアンプ２０がサブルームＺＯＮＥ２にコンテンツを出力するか否かをユーザ操作によって事前に設定する機能である。サブルームＺＯＮＥ２設定のオンオフは例えばメモリ内のフラグ等によって管理されている。
【００６２】
サブルームＺＯＮＥ２設定がオフ状態であれば処理を終了するが、サブルームＺＯＮＥ２設定がオン状態である場合（Ｓ６７でＹＥＳ）、システム制御部２３は、サブルームＺＯＮＥ２の選択されているセレクタに対応付けて、レジューム情報がレジューム情報テーブルに記憶されているか否かを判断する（Ｓ６８）。サブルームＺＯＮＥ２のセレクタがＨＤＤである場合には、サブルームＺＯＮＥ２のＨＤＤセレクタのレジューム情報が記憶されているかを判断する。レジューム情報が記憶されていなければ処理を終了するが、レジューム情報が記憶されている場合（Ｓ６８でＹＥＳ）、例えば、システム制御部２３は、サブルームＺＯＮＥ２のセレクタが、メインルームＺＯＮＥ１のセレクタと同じであるか否かを判断する（Ｓ６９）。同じであればメインルームＺＯＮＥ１のレジューム情報を優先するために処理を終了する。一方、同じでない場合（Ｓ６９でＮＯ）、サブルームＺＯＮＥ２の選択されているセレクタのコンテンツ再生装置に、レジューム情報テーブルからレジューム情報を読み出して送信する（Ｓ７０）。
【００６３】
以上の処理によって、ＡＶアンプが電源オン状態に移行する際にも、スタンバイ状態に移行する際に記憶したレジューム情報に基づいてコンテンツ再生装置を再生させることができる。なお、Ｓ６４〜Ｓ７０の電源オン時のレジューム再生処理を、図４〜図８で示したセレクタ変更時にレジューム情報テーブルに記憶したレジューム情報に基づいて実行したも良い。
【００６４】
以上、本発明の好ましい実施形態を説明したが、本発明はこれらの実施形態には限定されない。例えば、再生部１１は２つの光ピックアップを備える等ハードウェア構成を変更することにより、同時に同一のコンテンツ再生装置のコンテンツをメインルームＺＯＮＥ１及びサブルームＺＯＮＥ２に出力する場合でも、メインルームＺＯＮＥ１に対する再生開始位置と、サブルームＺＯＮＥ２に対する再生開始位置とを異ならせることができる。この場合には、上記実施形態のようにメインルームＺＯＮＥ１のレジューム情報を優先することや、ユーザ操作によってレジューム再生許可指示／レジューム再生不可指示の入力を判断することが不要となる。また、サブルームは、１つに限られず複数のサブルームＺＯＮＥ３、ＺＯＮＥ４にも適用可能である。また、ＡＶアンプに送信されるコンテンツは、ＨＤＭＩケーブルを介して送信されるのではなく、光デジタルケーブル等で送信されてもよい。この場合、別途他の通信ケーブルを介して各コマンドが送信されるとよい。また、ＡＶアンプおよびコンテンツ再生装置の上記動作をコンピュータに実行させるためのプログラムおよびこれを記録した記録媒体という形態で提供されてもよい。また、ＡＶアンプの上記動作の一部のみのプログラムを、ＡＶアンプにファームウェアアップデートという形態で提供されてもよい。さらには、ＡＶアンプの上記動作の一部のみのプログラムが格納されたＣＰＵ、マイコンなどの電子部品という形態で提供されてもよい。
【産業上の利用可能性】
【００６５】
本発明は、ＡＶアンプおよびＤＶＤプレーヤ等に好適に採用され得る。
【図面の簡単な説明】
【００６６】
【図１】本発明の好ましい実施形態によるコンテンツ再生システムを示すブロック図である。
【図２】セレクタテーブルを示す図である。
【図３】レジューム情報テーブルを示す図である。
【図４】メインルームのセレクタを変更する際のＡＶアンプの処理を示すフローチャートである。
【図５】セレクタを変更する際のコンテンツ再生装置の処理を示すフローチャートである。
【図６】サブルームのセレクタを変更する際のＡＶアンプの処理を示すフローチャートである。
【図７】メインルームのセレクタを変更する際のＡＶアンプの処理を示すフローチャートである。
【図８】サブルームのセレクタを変更する際のＡＶアンプの処理を示すフローチャートである。
【図９】ＡＶアンプを電源オン状態またはスタンバイ状態にする際の処理を示すフローチャートである。
【図１０】従来のコンテンツ再生システムを示すブロック図である。
【符号の説明】
【００６７】
１０Ａ          ＤＶＤプレーヤ
１０Ｂ          ＨＤＤレコーダ
２０            ＡＶアンプ
２１            ＨＤＭＩ受信部
２２            ＨＤＭＩ送信部
２３            システム制御部
２６            音声処理部
３０Ａ，３０Ｂ  ディスプレイ装置
【図１】
0005347308.tif 000002
【図２】
0005347308.tif 000003
【図３】
0005347308.tif 000004
【図４】
0005347308.tif 000005
【図５】
0005347308.tif 000006
【図６】
0005347308.tif 000007
【図７】
0005347308.tif 000008
【図８】
0005347308.tif 000009
【図９】
0005347308.tif 000010
【図１０】
0005347308.tif 000011